(57)【要約】【課題】底面下方に緩衝用の空間を確保するとともに、脚部が折れにくい構造の梱包材を提供する。【解決手段】衝撃が包装箱体３０に加わった場合、各舌片部２２ＡＢ（２２ＡＤ），２２ＣＢ（２２ＣＤ）がその根元である基端側が折曲変形されるよりも前に、まず、自身の基端側舌片部２２ＡＢｒ（２２ＡＤｒ），２２ＣＢｒ（２２ＣＤｒ）に対して、先端側舌片部２２ＡＢｆ（２２ＡＤｆ），２２ＣＢｆ（２２ＣＤｆ）が、両者の境界部分（連設部分）で折曲変形する。これにより、脚部として舌片部２２ＡＢ，２２ＡＤ，２２ＣＢ，２２ＣＤが、多段に折曲変形可能になり、脚部としての舌片部２２ＡＢ，２２ＡＤ，２２ＣＢ，２２ＣＤから梱包材１０の底面１２Ａに伝わる衝撃を、それぞれの変形により緩和することができ、さらに衝撃に対する緩衝効果を向上させることができる。【選択図】  図２
2004196407.tif 000002
【特許請求の範囲】
【請求項１】
包装箱体に内設され、収容される物品を外部の衝撃等から保護する梱包材であって、
当該梱包材の底面を前記包装箱体の底面に対して離間させる脚部に、スリットを備えた段差部
を備えていることを特徴とする梱包材。
【発明の詳細な説明】
【０００１】
【発明の属する技術分野】
本発明は、包装箱体に内設され、収容される物品を外部の衝撃等から保護する梱包材に関する。
【０００２】
【従来の技術】
従来の、包装箱体に内設され、収容された物品を外部の衝撃等から保護する梱包材の一例について、図４〜図６を用いて説明する。
図４は、従来の梱包材の、包装箱体に対する組み付けの説明図である。
まず、包装箱体３０は、１枚の段ボール等からなる板材３１から構成される。板材３１は、各一対の長方形形状の側壁部３２Ａ，３２Ｃ及び端壁部３２Ｂ，３２Ｄが交互に連設された箱体周壁構成部３２を備えている。また、板材３１の箱体周壁構成部３２の壁部３２Ａ，３２Ｂ，３２Ｃ，３２Ｄそれぞれには、これら壁部３２Ａ，３２Ｂ，３２Ｃ，３２Ｄの連設方向に沿って延びる一対の縁部の中の一方側の縁部に、蓋側外フラップ部３３Ａ，蓋側内フラップ部３３Ｂ，蓋側外フラップ部３３Ｃ，蓋側内フラップ部３３Ｄが連設されている。また、図４では現われないが、これら壁部３２Ａ，３２Ｂ，３２Ｃ，３２Ｄそれぞれには、これら壁部３２Ａ，３２Ｂ，３２Ｃ，３２Ｄの連設方向に沿って延びる一対の縁部の中の他方側の縁部に、底側外フラップ部３４Ａ，底側内フラップ部３４Ｂ，底側外フラップ部３４Ｃ，底側内フラップ部３３Ｄが同様に連設されている。さらに、側壁部３２Ａの端壁部３２Ｂが連設された側と反対側の縁部には、図４中に破線で示すように、合わせ壁部３２Ｅが連設されている。
【０００３】
そして、包装箱体３０は、上記した構成からなる板材３１の隣り合う、合わせ壁部３２Ｅと側壁部３２Ａ、側壁部３２Ａと端壁部３２Ｂ、端壁部３２Ｂと側壁部３２Ｃ、側壁部３２Ｃと端壁部３２Ｄそれぞれの、相互に共通する縁部（連設部）３２ｅａ，３２ａｂ，３２ｂｃ，３２ｃｄに沿って、隣り合う壁部同士を、略直角に山折りして構成される。その際、合わせ壁部３２Ｅの外壁面は、端壁部３２Ｄの内壁面と重ね合わされ、この重合部分はステップル等によって接合される。これにより、側壁部３２Ａと端壁部３２Ｄとは、合わせ壁部３２Ｅを介して一体的に連結される。
【０００４】
包装箱体３０は、底側内フラップ部３４Ｂ，３４Ｄ及び底側外フラップ部３４Ａ，３４Ｃが、箱体周壁構成部３２とのそれぞれ共通する縁部（連設部）３４ｂ，３４ｄ，３４ａ，３４ｃ（図４では、縁部３４ｂ，３４ｃは現われない）に沿って、底側内フラップ部３４Ｂ，３４Ｄ、続いて底側外フラップ部３４Ａ，３４Ｃの順で山折りされる。これにより、後述の図６に示すように、底側内フラップ部３４Ｂ，３４Ｄと底側外フラップ部３４Ａ，３４Ｃとは重ね合わされ、包装箱体３０の底部（底面）３４が構成される。
【０００５】
そして、包装箱体３０は、例えば、この折曲された底側外フラップ部３４Ａ，３４Ｃ同士が、例えばステップル等によって封緘され、一体的に連結されることによって、包装箱体３０の底部開口が封止される構成になっている。
このように構成される包装箱体３０に物品を収容するに当たっては、収容された物品を外部からの衝撃や振動等から保護し、物品が収容された包装箱体３０の封緘時に、封緘部材のステップル等によって物品が傷付くのを防止する等のために、包装箱体３０の内部には、緩衝材としての梱包材４０が、図４に示すように、配置される。
【０００６】
すなわち、図４は、包装箱体３０について、蓋側内フラップ部３３Ｂ，３３Ｄ及び蓋側外フラップ部３３Ａ，３３Ｃの折曲／接合による蓋側開口の封止を残した段階で、梱包材４０が包装箱体３０の蓋側開口より内部に装着される状況を示す。その際には、梱包材４０に物品が載置されていても、載置されていなくても、いずれでもよい。
【０００７】
図５は、従来の梱包材の一例としての、図４に示した梱包材の展開図である。
梱包材４０は、１枚の段ボール等からなる板材４１から構成される。
板材４１は、両端側に底面部４２Ａ，４２Ｃが形成され、この両底面部４２Ａ，４２Ｃ間に、一方の底面部４２Ａ側から他方の底面部４２Ｃ側に向けて、一方側の側面部４３Ａ，一方側の上面部４４Ａ，一方側の物品支持部４５Ａ，載置部４６，他方側の物品支持部４５Ｃ，他方側の上面部４４Ｃ，他方側の側面部４３Ｃが、順次連設されて形成されている。
【０００８】
そして、上記のように配置された板材４１上の、一方の底面部４２Ａと側面部４３Ａとの境界部分には、両者４２Ａ，４３Ａの連設方向と直交する方向に相互に離間させて、一対のコ字状の切欠部５１ＡＢ，５１ＡＤが形成されている。
一対の切欠部５１ＡＢ，５１ＡＤそれぞれは、境界部分又はその近傍に切欠部５１ＡＢ，５１ＡＤの始端及び終端が位置し、切欠の長さ方向の中間部が底面部４２Ａ内に突出位置するように延設されている。
【０００９】
このコ字状の切欠部５１ＡＢ，５１ＡＤによって底面部４２Ａから画成され、コ字状の切欠部５１ＡＢ，５１ＡＤの内側に形成された舌片部５２ＡＢ，５２ＡＤは、基端が側面部４３Ａと接続されて一体化され、先端が底面部４２Ａ側に突出する。そして、この舌片部５２ＡＢ，５２ＡＤは、基端から先端までの長さがａで、脚高さａの脚部を構成する。
【００１０】
同様にして、板材４１上の、他方側の底面部４２Ｃと側面部４３Ｃとの境界部分にも、コ字状に切欠部５１ＣＢ，５１ＣＤが延設され、脚高さａの脚部を構成する舌片部５２ＣＢ，５２ＣＤが構成されている。
そして、底面部４２Ａと側面部４３Ａとの境界部分、及び底面部４２Ｃと側面部４３Ｃとの境界部分の中、舌片部５２ＡＢ，５２ＡＤの基端部分、舌片部５２ＣＢ，５２ＣＤの基端部分を除いたそれぞれ境界部分のみが、底面部４２Ａと側面部４３Ａとの折曲部Ａ１、底面部４２Ｃと側面部４３Ｃとの折曲部Ｃ１となり、組立の際には、図５の紙面表側から裏面側に眺めて、山折りされる。
【００１１】
また、側面部４３Ａと上面部４４Ａとの境界部分，及び側面部４３Ｃと上面部４４Ｃとの境界部分が、側面部４３Ａと上面部４４Ａとの折曲部Ａ２，側面部４３Ｃと上面部４４Ｃとの折曲部Ｃ２となり、組立の際には、図５の紙面表側から裏面側に眺めて、山折りされる。
また、板材４１上の、一方側の上面部４４Ａと物品支持部４５Ａとの折曲部Ａ３、一方側の物品支持部４５Ａと載置部４６との折曲部Ａ４、載置部４６と他方側の物品支持部４５Ｃとの折曲部Ｃ４、及び他方側の物品支持部４５Ｃと他方側の上面部４４Ａとの折曲部Ｃ３それぞれは、本例の場合は、説明簡便のため、直線状に構成されている。
【００１２】
通常、一方側の上面部４４Ａと物品支持部４５Ａとの折曲部Ａ３の形状は、一方側の物品支持部４５Ａと載置部４６との折曲部Ａ４の形状と、載置方向に眺めて一側の物品側面の投影形状に対応させて、同一形状となっている。また、同様に、載置部４６と他方側の物品支持部４５Ｃとの折曲部Ｃ４の形状は、他方側側面の物品支持部４５Ｃと上面部４４Ｃとの折曲部Ｃ３の形状と、載置方向に眺めて他側の物品側面の投影形状に対応させて、同一形状となっている。これにより、物品支持部４５Ａ，４５Ｃは、物品の一側及び他側の側面の凹凸形状に合わせ、上面部４４Ａ，４４Ｂ及び載置部４６に対して折曲可能になっている。
【００１３】
そして、図５の紙面表側から裏面側に眺めて、上面部４４Ａと物品支持部４５Ａとの折曲部Ａ３、及び物品支持部４５Ｃと上面部４４Ａとの折曲部Ｃ３は、それぞれ山折りされ、物品支持部４５Ａと載置部４６との折曲部Ａ４、及び載置部４６と物品支持部４５Ｃとの折曲部Ｃ４は、それぞれ谷折りされる。これにより、梱包部材４０には、物品支持部４５Ａ，載置部４６，及び物品支持部４５Ｃで囲まれた物品収納空間が形成される。
【００１４】
このように構成された板材４１は、各折曲部Ａ１〜Ａ４，Ｃ１〜Ｃ４で上述したように折曲され、図５中に、斜線ハッチングを施した底面部４２Ａ，４２Ｃを、それぞれ載置部４６の裏面に重ね合わせ、底面部４２Ａ，４２Ｃ及び載置部４６を相互に張り合わせることによって、図４に示したような梱包材４０が組み立てられる。
【００１５】
この場合、折曲部Ａ１及び折曲部Ｃ１を折り曲げる際に、底面部４２Ａに対して、コ字状の切欠部５１ＡＢ，５１ＡＤによって画成された舌片部５２ＡＢ，５２ＡＤが相対的に起立させられ、また、底面部４２Ｃに対して、コ字状の切欠部５１ＣＢ，５１ＣＤによって画成された舌片部５２ＣＢ，５２ＣＤが相対的に起立させられる。これにより、舌片部５２ＡＢ，５２ＡＤ及び舌片部５２ＣＢ，５２ＣＤは、側面部４３Ａ，４３Ｃの面方向に沿って、梱包材４０の底面４２から下方に延びることになる。この結果、図４に示すように、梱包材４０の底面４２の両端側には、脚高さがａの脚部として舌片部５２ＡＢ，５２ＡＤ，５２ＣＢ，５２ＣＤが出現する（なお、図４では、舌片部５２ＣＢ，５２ＣＤは隠れていて図示されていない）。
【００１６】
図６は、従来の、図１に示した梱包材が内部に配置された包装箱体の断面図である。
図６において、梱包材４０の脚部としての舌片部５２ＡＢ（５２ＡＤ）は、梱包材４０の底面４２の一端側から包装箱体３０の底側外フラップ部３４Ａのフラップ内面に向けて、包装箱体３０の側壁部３２Ａの内壁面に沿って設けられる。同様に、梱包材４０の脚部としての舌片部５２ＣＢ（５２ＣＤ）は、梱包材４０の底面４２の他端側から包装箱体３０の底側外フラップ部３４Ｃのフラップ内面に向けて、包装箱体３０の側壁部３２Ｃの内壁面に沿って設けられる。
【００１７】
【特許文献１】
特開２０００−１６８８４４号公報
【００１８】
【発明が解決しようとする課題】
梱包材４０は、図６に示すように、包装箱体３０内に、脚部としての舌片部５２ＡＢ（５２ＡＤ），５２ＣＢ（５２ＣＤ）が、側壁部３２Ａ，側壁部３２Ｃの内壁面に沿って当接しながら配置される。そのため、包装箱体３０内で、脚部としての舌片部５２ＡＢ（５２ＡＤ），５２ＣＢ（５２ＣＤ）は、梱包材４０の載置部４６に載置した物品の重量を支持しながら、梱包材４０の底面４２を、包装箱体３０の底面３４を構成する底側外フラップ部３４Ａ，３４Ｃ及び底側内フラップ部３４Ｂ，３４Ｄに対して、離間させて位置させることができた。
これにより、舌片部５２ＡＢ（５２ＡＤ）と舌片部５２ＣＢ（５２ＣＤ）とが離れ、舌片部５２ＡＢ（５２ＡＤ）と舌片部５２ＣＢ（５２ＣＤ）との間の、梱包材４０の底面４２下方には、緩衝用の空間を生じさせていた。
【００１９】
しかしながら、この結果、包装箱体３０の底側外フラップ部３４Ａ，３４Ｃ、及び底側内フラップ部３４Ｂ，３４Ｄがこの空間の内方又は外方に向けて曲がり易くなり、これに伴い、包装箱体３０の側壁部３２Ａ，３２Ｃの底側外フラップ部３４Ａ，３４Ｃが連設されている側の部分、及び端壁部３２Ｂ，３２Ｄの底側内フラップ部３４Ｂ，３４Ｄが連設されている側の部分も変形し易くなり、結果として梱包材４０の各舌片部５２ＡＢ（５２ＡＤ），５２ＣＢ（５２ＣＤ）もその基端側で折れ易いものとなっていた。
本発明は、上述した問題点に鑑みてなされたものであって、梱包材の底面下方に緩衝用の空間を確保するとともに、脚部が折れにくい構造の包装箱体を提供することを目的とする。
【００２０】
【課題を解決するための手段】
上記目的を達成するために、本発明による梱包材は、包装箱体に内設され、収容される物品を外部の衝撃等から保護する梱包材であって、当該梱包材の底面を前記包装箱体の底面に対して離間させる脚部に、スリットを備えた段差部を備えていることを特徴とする。
【００２１】
本発明の梱包材によれば、包装箱体の落下等により、包装箱体の底面に衝撃が加わっても、包装箱体に内設された梱包材の脚部による緩衝効果を向上させることができ、脚部がその根元からいきなり折曲するという事態が発生し難く、仮に脚部に折れが発生した場合でも、脚部がその中途で折曲して包装箱体の底面に伝わる衝撃をさらに緩和する構造となっているため、従来品に比べ衝撃に対する改善がはかれる。
また、梱包材の包装箱体への組み込み時も、取り扱い易いものとすることができ、作業効率も向上させることが可能となる。
【００２２】
【発明の実施の形態】
以下、添付図面を参照しながら、本発明の梱包材１０の好適な実施の形態について詳細に説明する。
【００２３】
図１は、本発明の一実施の形態からなる梱包材の展開図である。
梱包材１０は、１枚の段ボール等からなる板材１１から構成される。
板材１１は、両端側に底面部１２Ａ，１２Ｃが形成され、この両底面部１２Ａ，１２Ｃ間に、一方の底面部１２Ａ側から他方の底面部１２Ｃ側に向けて、一方側の側面部１３Ａ，一方側の上面部１４Ａ，一方側の物品支持部１５Ａ，載置部１６，他方側の物品支持部１５Ｃ，他方側の上面部１４Ｃ，他方側の側面部１３Ｃが、順次連設されて形成されている。
【００２４】
そして、上記のように配置された板材１１上の、一方の底面部１２Ａと側面部１３Ａとの境界部分には、両者１２Ａ，１３Ａの連設方向と直交する方向に相互に離間させて、一対のコ字状の切欠部２１ＡＢ，２１ＡＤが形成されている。
一対の切欠部２１ＡＢ，２１ＡＤそれぞれは、境界部分又はその近傍に切欠部２１ＡＢ，２１ＡＤの始端及び終端が位置し、切欠の長さ方向の中間部が底面部１２Ａ内に突出位置するように延設されている。
【００２５】
このコ字状の切欠部２１ＡＢ，２１ＡＤによって底面部１２Ａから画成され、コ字状の切欠部２１ＡＢ，２１ＡＤの内側に形成された舌片部２２ＡＢ，２２ＡＤは、基端が側面部１３Ａと接続されて一体化され、先端が底面部１２Ａ側に突出する。そして、この舌片部２２ＡＢ，２２ＡＤは、基端から先端までの長さがａで、脚高さａの脚部を構成する。
【００２６】
この舌片部２２ＡＢ，２２ＡＤは、さらにその形状が、相互に幅が異なる矩形状の先端側舌片部２２ＡＢｆ，２２ＡＤｆと基端側舌片部２２ＡＢｒ，２２ＡＤｒとを、互いの中心線を揃えて長さ方向に向けて（すなわち、舌片部２２ＡＢ，２２ＡＤの先端側から基端側に向けて）連設した構成になっている。そして、先端側舌片部２２ＡＢｆ，２２ＡＤｆの幅は、基端側舌片部２２ＡＢｒ，２２ＡＤｒの幅よりも狭くなっているため、舌片部２２ＡＢ，２２ＡＤの相互に対向する一対の側部は、それぞれ段部２３ＡＢ，２３ＡＤが形成された形状になっている。さらに、この各一対の段部２３ＡＢ，２３ＡＤには、基端側舌片部２２ＡＢｒ，２２ＡＤｒと先端側舌片部２２ＡＢｆ，２２ＡＤｆとの境界部分（連設部分）に境界方向の内方に延びるスリット２４ＡＢ，２４ＡＤがそれぞれ形成されている。
【００２７】
同様にして、板材１１上の、他方側の底面部１２Ｃと側面部１３Ｃとの境界部分にも、コ字状に切欠部２１ＣＢ，２１ＣＤが延設され、脚高さａの脚部を構成する舌片部２２ＣＢ，２２ＣＤが構成されている。そして、舌片部２２ＣＢ，２２ＣＤも、舌片部２２ＡＢ，２２ＡＤと同様に、相互に幅が異なる矩形状の先端側舌片部２２ＣＢｆ，２２ＣＤｆと基端側舌片部２２ＣＢｒ，２２ＣＤｒとを、互いの中心線を揃えて長さ方向に向けて（すなわち、舌片部２２ＣＢ，２２ＣＤの先端側から基端側に向けて）連設した構成になっており、各一対の段部２３ＣＢ，２３ＣＤを有し、この各一対の段部２３ＣＢ，２３ＣＤには、スリット２４ＣＢ，２４ＣＤがそれぞれ形成されている。
【００２８】
そして、底面部１２Ａと側面部１３Ａとの境界部分、及び底面部１２Ｃと側面部１３Ｃとの境界部分の中、舌片部２２ＡＢ，２２ＡＤの基端部分、舌片部２２ＣＢ，２２ＣＤの基端部分を除いたそれぞれ境界部分のみが、底面部１２Ａと側面部１３Ａとの折曲部Ａ１、底面部１２Ｃと側面部１３Ｃの折曲部Ｃ１となり、組立の際には、図１の紙面表側から裏面側に眺めて、山折りされる。
【００２９】
また、側面部１３Ａと上面部１４Ａとの境界部分，及び側面部１３Ｃと上面部１４Ｃとの境界部分が、側面部１３Ａと上面部１４Ａとの折曲部Ａ２，側面部１３Ｃと上面部１４Ｃとの折曲部Ｃ２となり、組立の際には、図１の紙面表側から裏面側に眺めて、山折りされる。
【００３０】
また、板材１１上の、一方側の上面部１４Ａと物品支持部１５Ａとの折曲部Ａ３、一方側の物品支持部１５Ａと載置部１６との折曲部Ａ４、載置部１６と他方側の物品支持部１５Ｃとの折曲部Ｃ４、及び他方側の物品支持部１５Ｃと他方側の上面部１４Ａとの折曲部Ｃ３それぞれは、本例の場合は、説明簡便のため、直線状に構成されている。
【００３１】
通常、一方側の上面部１４Ａと物品支持部１５Ａとの折曲部Ａ３の形状は、一方側の物品支持部１５Ａと載置部１６との折曲部Ａ４の形状と、載置方向に眺めて一側の物品側面の投影形状に対応させて、同一形状となっている。また、同様に、載置部１６と他方側の物品支持部１５Ｃとの折曲部Ｃ４の形状は、他方側側面の物品支持部１５Ｃと上面部１４Ｃとの折曲部Ｃ３の形状と、載置方向に眺めて他側の物品側面の投影形状に対応させて、同一形状となっている。これにより、物品支持部１５Ａ，１５Ｃは、物品の一側及び他側の側面の凹凸形状に合わせ、上面部１４Ａ，１４Ｂ及び載置部１６に対して折曲可能になっている。
【００３２】
そして、図１の紙面表側から裏面側に眺めて、上面部１４Ａと物品支持部１５Ａとの折曲部Ａ３、及び物品支持部１５Ｃと上面部１４Ａとの折曲部Ｃ３は、それぞれ山折りされ、物品支持部１５Ａと載置部１６との折曲部Ａ４、及び載置部１６と物品支持部１５Ｃとの折曲部Ｃ４は、それぞれ谷折りされる。これにより、梱包部材１０には、物品支持部１５Ａ，載置部１６，及び物品支持部１５Ｃで囲まれた物品収納空間が形成される。
【００３３】
このように構成された板材１１は、各折曲部Ａ１〜Ａ４，Ｃ１〜Ｃ４で上述したように折曲され、図１中に、斜線ハッチングを施した底面部１２Ａ，１２Ｃを、それぞれ載置部１６の裏面に重ね合わせ、底面部１２Ａ，１２Ｃ及び載置部１６を相互に貼り合わせることによって、図２に示したような梱包材１０が組み立てられる。
【００３４】
図２は、図１に示した梱包材の、包装箱体に対する組み付けの説明図である。
この場合、折曲部Ａ１及び折曲部Ｃ１を折り曲げる際に、底面部１２Ａに対して、コ字状の切欠部２１ＡＢ，２１ＡＤによって画成された舌片部２２ＡＢ，２２ＡＤが相対的に起立させられ、また、底面部１２Ｃに対して、コ字状の切欠部２１ＣＢ，２１ＣＤによって画成された舌片部２２ＣＢ，２２ＣＤが相対的に起立させられる。これにより、スリット２４ＡＢ，２４ＡＤが形成された段部２３ＡＢ，２３ＡＤを備えた舌片部２２ＡＢ，２２ＡＤ、及びスリット２４ＣＢ，２４ＣＤが形成された段部２３ＣＢ，２３ＣＤを備えた舌片部２２ＣＢ，２２ＣＤは、側面部１３Ａ，１３Ｃの面方向に沿って、梱包材１０の底面１２から下方に延びることになる。この結果、図１に示すように、梱包材１０の底面１２の両端側には、脚高さがａの脚部として舌片部２２ＡＢ，２２ＡＤ，２２ＣＢ，２２ＣＤが出現する（なお、図１では、舌片部２２ＣＢ，２２ＣＤは隠れていて図示されていない）。
【００３５】
図３は、図１に示した梱包材が内部に配置された包装箱体の断面図である。
これにより、本実施の形態の包装箱体３０によれば、落下等により包装箱体３０の底面３４に衝撃が加わっても、梱包材１０は、脚部として舌片部２２ＡＢ，２２ＡＤ，２２ＣＢ，２２ＣＤが自身の底面１２を包装箱体３０の底面３４から離間させ、梱包材１０の底面１２との間に緩衝空間Ｓを形成して、衝撃が包装箱体３０の底面３４から自身の底面１２に直接加わらないようにし、脚部として舌片部２２ＡＢ，２２ＡＤ，２２ＣＢ，２２ＣＤを介して緩衝している。
【００３６】
さらに、仮に梱包材１０の各舌片部２２ＡＢ（２２ＡＤ），２２ＣＢ（２２ＣＤ）からなる脚部に折れが発生するような場合であっても、各舌片部２２ＡＢ（２２ＡＤ），２２ＣＢ（２２ＣＤ）はスリット２４ＡＢ（２４ＡＤ），２４ＣＢ（２４ＣＤ）が形成された段部２３ＡＢ（２３ＡＤ），２３ＣＢ（２３ＣＤ）を備えているため、衝撃に対する緩衝効果を向上させることができる。
【００３７】
すなわち、このような衝撃が包装箱体３０に加わった場合、各舌片部２２ＡＢ（２２ＡＤ），２２ＣＢ（２２ＣＤ）がその根元である基端側が折曲変形されるよりも前に、まず、自身の基端側舌片部２２ＡＢｒ（２２ＡＤｒ），２２ＣＢｒ（２２ＣＤｒ）に対して、先端側舌片部２２ＡＢｆ（２２ＡＤｆ），２２ＣＢｆ（２２ＣＤｆ）が、両者の境界部分（連設部分）で折曲変形する構造になっている。これにより、脚部として舌片部２２ＡＢ，２２ＡＤ，２２ＣＢ，２２ＣＤが、先端側舌片部２２ＡＢｆ（２２ＡＤｆ），２２ＣＢｆ（２２ＣＤｆ）と基端側舌片部２２ＡＢｒ（２２ＡＤｒ），２２ＣＢｒ（２２ＣＤｒ）との境界部分（連設部分）、舌片部２２ＡＢ，２２ＡＤ，２２ＣＢ，２２ＣＤの根元である基端側部分で多段に折曲変形可能になり、脚部としての舌片部２２ＡＢ，２２ＡＤ，２２ＣＢ，２２ＣＤから梱包材１０の底面１２に伝わる衝撃を、それぞれの変形により緩和することができ、さらに衝撃に対する緩衝効果を向上させることができる。
【００３８】
また、包装箱体３０の側壁部３２Ａ，３２Ｃの底側外フラップ部３４Ａ，３４Ｃが連設されている側の部分、及び端壁部３２Ｂ，３２Ｄの底側内フラップ部３４Ｂ，３４Ｄが連設されている側の部分が変形されても、脚部としての舌片部２２ＡＢ，２２ＡＤ，２２ＣＢ，２２ＣＤも、先端側舌片部２２ＡＢｆ（２２ＡＤｆ），２２ＣＢｆ（２２ＣＤｆ）と基端側舌片部２２ＡＢｒ（２２ＡＤｒ），２２ＣＢｒ（２２ＣＤｒ）との境界部分（連設部分）で追従して変形できる。そのため、脚部として舌片部２２ＡＢ，２２ＡＤ，２２ＣＢ，２２ＣＤが、包装箱体３０の変形した側壁部３２Ａ，３２Ｃの内壁面と離間することも防げ、脚部として舌片部２２ＡＢ，２２ＡＤ，２２ＣＢ，２２ＣＤ自体の強度の確保もはかれる。
【００３９】
また、これとは別に、梱包材１０の包装箱体３０への組み込み時も、取り扱い易いものとすることができ、作業効率も向上させることが可能となる。
なお、本発明は上記実施の形態に限定されるものではなく、各部の具体的形状については、種々の変形例の採用が可能である。例えば、上述した実施の形態の梱包材１０では、脚部としての舌片部２２ＡＢ，２２ＡＤは、相互に幅が異なる矩形状の先端側舌片部２２ＡＢｆ，２２ＡＤｆと基端側舌片部２２ＡＢｒ，２２ＡＤｒとによる二段構成としてが、これに限らず、先端側舌片部２２ＡＢｆ，２２ＡＤｆと基端側舌片部２２ＡＢｒ，２２ＡＤｒとの間に、中間舌片部を設ける等して、さらに多段構成とすることもできる。
【００４０】
【発明の効果】
以上のように、本発明の包装箱体によれば、包装箱体の落下等により、包装箱体の底面に衝撃が加わっても、包装箱体に内設された梱包材の脚部による緩衝効果を向上させることができ、脚部がその根元からいきなり折曲するという事態が発生し難く、仮に脚部に折れが発生した場合でも、脚部がその中途で折曲して包装箱体の底面に伝わる衝撃をさらに緩和する構造となっているため、従来品に比べ衝撃に対する改善がはかれる。
【００４１】
また、梱包材の包装箱体への組み込み時も、取り扱い易いものとすることができ、作業効率も向上させることが可能となる。
【図面の簡単な説明】
【図１】本発明の一実施の形態からなる梱包材の展開図である。
【図２】図１に示した梱包材の、包装箱体に対する組み付けの説明図である。
【図３】図１に示した梱包材が内部に配置された包装箱体の断面図である。
【図４】従来の梱包材の、包装箱体に対する組み付けの説明図である。
【図５】従来の梱包材の一例としての、図４に示した梱包材の展開図である。
【図６】従来の、図１に示した梱包材が内部に配置された包装箱体の断面図である。
【符号の説明】
１０  梱包材
１１  板材
１２Ａ，１２Ｃ  底面部
１３Ａ，１３Ｃ  側面部
１４Ａ，１４Ｃ  上面部
１５Ａ，１５Ｃ  物品支持部
１６  載置部
２１ＡＢ，２１ＡＤ，２１ＣＢ，２１ＣＤ  切欠部
２２ＡＢ，２２ＡＤ，２２ＣＢ，２２ＣＤ  舌片部
２２ＡＢｆ，２２ＡＤｆ，２２ＣＢｆ，２２ＣＤｆ  先端側舌片部
２２ＡＢｒ，２２ＡＤｒ，２２ＣＢｒ，２２ＣＤｒ  先端側舌片部
２３ＡＢ，２３ＡＤ，２３ＣＢ，２３ＣＤ  段部
２４ＡＢ，２４ＡＤ，２４ＣＢ，２４ＣＤ  スリット
３０  包装箱体
３１  板材
３２  箱体周壁構成部
３２Ａ，３２Ｃ  側壁部
３２Ｂ，３２Ｄ  端壁部
３２Ｅ  合わせ壁部
３３Ａ，３３Ｃ  蓋側外フラップ部
３３Ｂ，３３Ｄ  蓋側内フラップ部
３４  底部（底面）
３４Ａ，３４Ｃ  底側外フラップ部
３４Ｂ，３４Ｄ  底側内フラップ部
４０  梱包材
５１ＡＢ，５１ＡＤ，５１ＣＢ，５１ＣＤ  切欠部
５２ＡＢ，５２ＡＤ，５２ＣＢ，５２ＣＤ  舌片部
【図１】
2004196407.tif 000003
【図２】
2004196407.tif 000004
【図３】
2004196407.tif 000005
【図４】
2004196407.tif 000006
【図５】
2004196407.tif 000007
【図６】
2004196407.tif 000008